(57)【要約】【課題】  ディスク収納ケースにおいて、タイトル表示部材を係止する部材をディスク収納ケースに確実に保持でき、外観を損ねることのないようにする。【解決手段】  記録媒体ディスクを収容するディスクトレイ３１と、ディスクトレイ３１を収容し、一端部同士が互いにヒンジ結合され、開閉自在な一対のケース半体２、３とを備え、一対のケース半体２、３のうち少なくとも一方にディスクトレイ３１が一体成形されたディスク収納ケース１であって、一方のケース半体３が、一端部側にタイトル表示部材４を収納する空間部３３を有してなるディスク収納ケース１において、空間部３３内にタイトル表示部材４を係止する係止部材５を備え、係止部材５が空間部３３内に装着可能な形状であって、係止部材５と空間部３３を有するケース半体３の少なくとも一方が、係止部材５とケース半体３を係合するための係合手段を備える。  【選択図】          図１
2006256632.tif 000002
【特許請求の範囲】
【請求項１】
記録媒体ディスクを収容するディスクトレイと、該ディスクトレイを収容し、一端部同士が互いにヒンジ結合され、開閉自在な一対のケース半体とを備え、該一対のケース半体のうち少なくとも一方に前記ディスクトレイが一体成形されたディスク収納ケースであって、
前記一方のケース半体が、前記一端部側にＬ字状又はＩ字状のタイトル表示部材を収納する空間部を有してなるディスク収納ケースにおいて、
該空間部内に前記タイトル表示部材を係止する係止部材を備え、該係止部材が前記空間部内に装着可能な形状であって、該係止部材と前記空間部を有するケース半体の少なくとも一方が、該係止部材と該ケース半体を係合するための係合手段を備えていることを特徴とするディスク収納ケース。
【請求項２】
前記係合手段が、前記係止部材の少なくとも一面に凸部を設け、前記空間部を有するケース半体に前記凸部に嵌合する凹部または溝部を設けたものであることを特徴とする請求項１に記載のディスク収納ケース。
【請求項３】
前記係止部材の凸部が、前記係止部材の長手方向の両端に設けられた凸部であり、前記凹部が、前記一対のケース半体のヒンジ結合部のヒンジ軸受け穴で兼用されるものであることを特徴とする請求項２に記載のディスク収納ケース。
【発明の詳細な説明】
【技術分野】
【０００１】
本発明は、ディスク収納ケースに関し、特に、ＣＤ、ＤＶＤ等の記録媒体ディスクを収納するケースに関するものである。
【背景技術】
【０００２】
ＣＤ（Compact Disc）、ＤＶＤ（Digital Versatile Disc）、ＢＤ（Blu-ray Disc）等の記録媒体ディスクを収納するディスク収納ケースとして、図４（ａ）に示す如く、記録媒体ディスク（図示しない）を着脱自在に保持するディスクトレイ１３１と、このディスクトレイ１３１を収納し、一端縁同士が互いに連結され、開閉自在な一対のケース半体１２、１３からなるディスク収納ケース１１が広く用いられている。このように３部品で構成されたディスク収納ケース１１は、一般にディスクトレイ１３１が嵌め込まれた裏側ケース半体１３と、表側ケース半体１２の内面に、各々、カード状やブックレット状の表側インデックス１６ａ、裏側インデックス１６ｂが収容される構造になっていて、裏側インデックス１６ｂはタイトルの表記が可能な表表紙部１６ｂ１や背表紙部１６ｂ２を備えているものが公知となっている。
【０００３】
また、近年、保管スペースのスリム化を目的として、２部品で構成された薄型のディスク収納ケースが開示されている。この薄型のディスク収納ケースは、図４（ｂ）に示す如く、開閉自在な表側ケース半体２２と裏側ケース半体２３とからなり、裏側ケース半体２３に記録媒体ディスク（図示しない）を着脱自在に保持するディスクトレイ２３１を一体成形し、ディスクトレイの厚さ分だけディスク収納ケース２１を薄くしてケース全体の厚みを５ｍｍ程度まで薄型化することが可能となっている。このように２部品で構成されたディスク収納ケース２１は、一般に表側ケース半体２２の内面のみに、タイトルが表示されたカード状やブックレット状のインデックス２６ａが収容される構造になっていて、構造上、表表紙部や背表紙部を設けることができないため、複数枚のディスク収納ケースを縦置きあるいは横置きに重ねて置くと、タイトルの表示面が隠れてしまい、タイトルを確認できなくなってしまう。
【０００４】
かかる背景下、上記のようなディスク収納ケースの背表紙部にタイトルの表記が可能なタイトル表示部材を、弾性を有した係止部材によってディスク収納ケースに係止する構造を備えたディスク収納ケースが開示されている。（特許文献１）
【特許文献１】特開２００３−３００５７８号公報
【発明の開示】
【発明が解決しようとする課題】
【０００５】
しかしながら、上記のようなディスク収納ケースは、弾性を有した係止部材によってタイトル表示部材をディスク収納ケースに係止する構造であり、係止部材とディスク収納ケースも弾性によって係止されているので、係止部材がディスク収納ケースに確実に固定されていない。したがってディスク収納ケースに外力等が加わった際に、この係止部材が不用意に脱落してしまう恐れがある。
【０００６】
また、係止部材が弾性を有しているが故に、係止部材の形状が不安定であり、変形したり歪みが発生したりして、外観を損ねてしまう恐れがある。
【０００７】
本発明はかかる事情に鑑みてなされたものであり、係止部材をディスク収納ケースに確実に保持でき、外観を損ねることのないディスク収納ケースを提供することを目的とするものである。
【課題を解決するための手段】
【０００８】
本発明のディスク収納ケースは、記録媒体ディスクを収容するディスクトレイと、該ディスクトレイを収容し、一端部同士が互いにヒンジ結合され、開閉自在な一対のケース半体とを備え、該一対のケース半体のうち少なくとも一方に前記ディスクトレイが一体成形されたディスク収納ケースであって、
前記一方のケース半体が、前記一端部側にＬ字状又はＩ字状のタイトル表示部材を収納する空間部を有してなるディスク収納ケースにおいて、
該空間部内に前記タイトル表示部材を係止する係止部材を備え、該係止部材が前記空間部内に装着可能な形状であって、該係止部材と前記空間部を有するケース半体の少なくとも一方が、該係止部材と該ケース半体を係合するための係合手段を備えていることを特徴とするものである。
【０００９】
本発明のディスク収納ケースでは、前記係合手段が、前記係止部材の少なくとも一面に凸部を設け、前記空間部を有するケース半体に前記凸部に嵌合する凹部または溝部を設けたものとすることができる。
【００１０】
本発明のディスク収納ケースにおいては、前記係止部材の凸部が、前記係止部材の長手方向の両端に設けられた凸部であり、前記凹部が、前記一対のケース半体のヒンジ結合部のヒンジ軸受け穴で兼用されるものとすることが好ましい。
【発明の効果】
【００１１】
上記のように構成された本発明のディスク収納ケースでは、空間部内にタイトル表示部材を係止する係止部材を備え、係止部材が空間部内に装着可能な形状であって、係止部材と空間部を有するケース半体の少なくとも一方が、係止部材とケース半体を係合するための係合手段を備えているので、係止部材がケース半体に確実に固定される。したがってディスク収納ケースに外力等が加わっても、係止部材が不用意に脱落することがない。
【００１２】
また、従来、空間を有している空間部内に係止部材を装着するので、ヒンジ結合部の空間部における剛性が向上し、ヒンジ結合部が壊れにくくなる。
【００１３】
また、係止部材は弾性によってタイトル表示部材を係止するような構造ではないので、形状が安定していて、係止部材に変形や歪みを生じる可能性が低く、外観が損なわれない。
【００１４】
なお、係合手段が係止部材の少なくとも一面に凸部を設け、空間部を有するケース半体にこの凸部に嵌合する凹部または溝部を設けたものとした場合には、凸部と凹部または溝部を嵌め合せるだけで良いため、係止部材を容易に取り付けることができる。
【００１５】
さらに、凸部が係止部材の長手方向の両端に設けられた凸部であり、凹部が一対のケース半体のヒンジ結合のヒンジ軸受け穴で兼用されるものとした場合には、一対のケース半体を既存のままの状態で使用することができるので、コストを低減することができる。
【発明を実施するための最良の形態】
【００１６】
次に、図面を参照し、本発明に係る実施形態のディスク収納ケースについて説明する。本実施形態のディスク収納ケースは、ＣＤ、ＤＶＤ、ＢＤ等の記録媒体ディスクを収納するケースである。
【００１７】
図１（ａ）は本発明の一実施形態に係るディスク収納ケースの開状態における斜視図、図１（ｂ）は閉状態における一部分解斜視図、図１（ｃ）は図１（ａ）のＣ−Ｃにおける一部断面図である。
【００１８】
図１（ａ）、（ｂ）に示す如く、本実施形態のディスク収納ケース１は、開閉自在な表側ケース半体２と裏側ケース半体３とから概略構成され、この一対のケース半体２、３は一端部同士が互いにヒンジ結合されている。裏側ケース半体３には、記録媒体ディスク（図示しない）が嵌め込まれて収納されるディスクトレイ３１が一体成形されており、このディスクトレイ３１の中央部には、記録媒体ディスクの中央開口部側を着脱自在に保持するディスククランパ３２が設けられている。さらに裏側ケース半体３は、ヒンジ結合部を有する一端部側の両端にそれぞれヒンジ軸受け穴３４（片側図示しない）を有し、この両端のヒンジ軸受け穴３４を含んだ細長い領域に、後述するタイトル表示部材４を収納する空間部３３を備えている。この空間部３３はヒンジ結合部を有する一端部側に、ディスクトレイ３１を有する面と略直角に背面壁３５を有し、閉状態において表側ケース半体２の位置する側の面は開放されている。
【００１９】
また、表側ケース半体２は内面にインデックス６を収容し、裏側ケース半体３のヒンジ軸受け穴３４と嵌合可能な位置には、ヒンジ軸受け穴３４と嵌合するヒンジ軸２１が突設されている。
【００２０】
この一対のケース半体２、３のうち、少なくともタイトル表示部材を収納する空間部３３の背面壁３５はタイトル表示の視認性を考慮して、透明な樹脂で成形されている。
【００２１】
裏側ケース半体３の空間部３３には、空間部３３の長手方向に延びたＬ字状のタイトル表示部材４が収納されている。このタイトル表示部材４は背表紙および表表紙としてタイトル等を表示するために用いられるものであり、少なくとも一面に記録媒体ディスクに記録されている内容等のタイトルが印刷、あるいは記入されていて、このタイトルが表記されている面が空間部３３の背面壁３５の内面に当接し、この内面と略直角に折り曲がった面が裏側ケース半体３のディスクトレイ３１を有する面に当接するように空間部３３内に収納され、さらに係止部材５によって係止されている。
【００２２】
係止部材５は裏側ケース半体３の空間部３３に装着可能な略直方体であり、係止部材５の長手方向の一面が、タイトル表示部材４を挟んで空間部３３の背面壁３５の内面に当接し、前記一面と下方に直角をなす面が、タイトル表示部材４を挟んで裏側ケース半体３のディスクトレイ３１を有する面に当接することによって、タイトル表示部材４を裏側ケース半体３に係止している。
【００２３】
また、係止部材５の長手方向の両端部には裏側ケース半体３のヒンジ軸受け穴３４に嵌合する凸部５１がそれぞれ突設されていて、図１（ｃ）に示す如く、係止部材５の凸部５１と表側ケース半体２のヒンジ軸２１とがそれぞれ裏側ケース半体３のヒンジ軸受け穴３４の略中間位置まで嵌合することで、ヒンジ軸受け穴３４を兼用できる構造となっている。
【００２４】
以上のような構成のディスク収納ケースによれば、空間部内にタイトル表示部材を係止する係止部材を備え、係止部材が空間部内に装着可能な形状であって、係止部材と空間部を有するケース半体の少なくとも一方が、係止部材とケース半体を係合するための係合手段を備えているので、係止部材がケース半体に確実に固定されて、ディスク収納ケースに外力等が加わっても、係止部材が不用意に脱落することがない。
【００２５】
また、従来、空間を有している空間部内に係止部材を装着するので、ヒンジ結合部の空間部における剛性が向上し、ヒンジ結合部が壊れにくくなる。
【００２６】
また、係止部材は弾性によってタイトル表示部材を係止するような構造ではないので、形状が安定していて、係止部材に変形や歪みを生じる可能性が低く、外観が損なわれない。
【００２７】
さらに、係合手段が係止部材の長手方向の両端に凸部を設け、この凸部に嵌合する凹部が一対のケース半体のヒンジ結合のヒンジ軸受け穴で兼用されるものとしたので、一対のケース半体を既存のままの状態で使用することができて、コストを低減することができる。
【００２８】
なお、本実施形態では係合手段を、係止部材の長手方向の両端部に凸部を突設して、裏側ケース半体のヒンジ軸受け穴に嵌合するものとしたが、本発明のディスク収納ケースはこれに限定されるものではない。
【００２９】
本発明の係合手段としては、例えば図２に示す如く、Ｌ字状の係止部材５の長手方向の両端に凸部５１を設けて、さらにタイトル表示部材４を収納する空間部３３の長手方向の両端部内面のヒンジ軸受け穴３４の下方に係止部材５の凸部５１と嵌合する溝部３６を、ディスクトレイ３１を有する面と略平行に設けることにより、裏側ケース半体３の溝部３６に係止部材５の凸部５１をスライドさせて嵌合させる方法や、図３に示す如く、略長方形で板状の係止部材５の長手方向の両端に凸部５１を設けて、さらにタイトル表示部材４を収納する空間部３３の長手方向の両端部内面に背面壁３５と略平行に凹部を設けることにより、裏側ケース半体３の凹部に係止部材５の凸部を嵌合させる方法等が挙げられる。
【００３０】
なお本実施形態ではタイトル表示部材をＬ字状としたが、ケース半体の空間部に収納されるものであって、係止部材によって係止可能な形状であればこれに限られるものではなく、例えばＩ字状のものであってもよい。
【図面の簡単な説明】
【００３１】
【図１】本発明のディスク収納ケースの好適な態様を示す斜視図及び断面図である。
【図２】本発明のディスク収納ケースの係合手段の他の態様を示す斜視図である。
【図３】本発明のディスク収納ケースの係合手段の他の態様を示す斜視図である。
【図４】従来のディスク収納ケースを示す斜視図である。
【符号の説明】
【００３２】
１      ディスク収納ケース
２      表側ケース半体
３      裏側ケース半体
３１    ディスクトレイ
３３    空間部
４      タイトル表示部材
５      係止部材
６      インデックス
【図１】
2006256632.tif 000003
【図２】
2006256632.tif 000004
【図３】
2006256632.tif 000005
【図４】
2006256632.tif 000006